(57)【要約】【課題】ゴルフクラブをスイングするフォームの調整または習得を短時間で確実に行うことができるとともに、筋力アップの訓練にも有効なゴルフクラブのグリップ補助具の提供。【解決手段】弾性体で形成され、ゴルフクラブＣのグリップ１０に着脱可能な半筒状のグリップ補助具１であって、グリップ１０への装着時にグリップ１０の側面に手のひら当接面４０を形成する。グリップ補助具１は、弾性を有する内層２と、内層２の外周に配したスポンジ製の外層３とからなり、手のひらの横幅より幾分小さい長さを有し、グリップ１０の外径より幾分径小の内径を有するとともに、手のひら当接面４０は、ほぼ平面を構成する。【選択図】図２
0003123347.tif 000002
【実用新案登録請求の範囲】
【請求項１】
弾性体で形成され、ゴルフクラブのグリップに着脱可能な半筒状のグリップ補助具であって、前記グリップへの装着時に前記グリップの側面に手のひら当接面を形成するゴルフクラブのグリップ補助具。
【請求項２】
請求項１に記載のゴルフクラブのグリップ補助具において、手のひらの横幅より幾分小さい長さを有し、前記グリップの外径より幾分径小の内径を有するとともに、前記手のひら当接面は、ほぼ平面であることを特徴とするゴルフクラブのグリップ補助具。
【請求項３】
請求項１または２に記載のゴルフクラブのグリップ補助具において、弾性を有する内層と、該内層の外周に配したスポンジ製の外層とからなることを特徴とするゴルフクラブのグリップ補助具。
【請求項４】
請求項３に記載のゴルフクラブのグリップ補助具において、前記内層は樹脂製ホースを所定の長さに切断し、軸方向に切り込みを入れて形成され、前記外層は前記内層の外周にスポンジを接着して形成されたことを特徴とするゴルフクラブのグリップ補助具。
【考案の詳細な説明】
【技術分野】
【０００１】
この考案は、ゴルフクラブのスイングの調整または習得、さらには筋力アップを行うためのゴルフクラブのグリップ補助具に関する。
【背景技術】
【０００２】
ゴルフクラブを使うゴルフのスイングにおいて、テイク・バック、バック・スイング、トップ・スイング、ダウン・スイング、リスト・ターン、フォロー・スルーまでの一連のフォームが、疲労など何らかの理由でくずれたり、未熟のためフォームが悪かったりすると正確なショットができないため、フォームの調整または習得を行うことが重要となる。適正なフォームは、ゴルフクラブのグリップの握り方に基本があり、グリップの握り方を調整することが、正確なショットの回復や上達に重要である（特許文献なし）。
【考案の開示】
【考案が解決しようとする課題】
【０００３】
このゴルフグラブをスイングするフォームの調整または習得は、悪い原因がグリップ、手首、腕、肩、および足腰などの何処にあるかを発見することが容易ではないため、自身で短時間に原因を発見して確実に調整または習得することが困難である。
この考案の目的は、ゴルフクラブをスイングするフォームの調整または習得を短時間で確実に行うことができるとともに、筋力アップの訓練にも有効なゴルフクラブのグリップ補助具の提供にある。
【課題を解決するための手段】
【０００４】
この考案は、弾性体で形成され、ゴルフクラブのグリップに着脱可能な半筒状のグリップ補助具であって、手のひらの横幅より幾分小さい長さを有し、グリップの外径より幾分径小の内径を有するとともに、グリップへの装着時にグリップの側面に手のひら当接面を形成する。この考案のグリップ補助具は、グリップへ装着した際に半円状断面、半楕円状断面、または台形状断面を有する柱状を呈することが望ましい。また、手のひら当接面は、平面、捩じれた平面、グリップを中心に略Ｖ字形を呈する楔溝面であってもよい。なお、平面は、全体的な平面であり、細かな波状または凹凸面を含むものである。
【０００５】
この考案のグリップ補助具は、望ましくは、ゴム、樹脂などで形成され弾性を有する内層と、この内層の外周に配したスポンジ製の外層とで構成する。この構成では、内層とグリップの外周とが緊密に嵌合でき装着性に優れるとともに、長期間の使用に耐えて耐久性が高く、かつ握る手のひらと外層とのなじみがよく使用性がよい。この場合に、内層はゴムまたは樹脂製のホースを所定の長さに切断し、軸方向に切り込みが形成され、外層は内層の外周にスポンジを接着して形成される。この製造方法によれば、この考案のグリップ補助具を低コストに量産できる。なお、この考案のグリップ補助具は、型による成型などにより形成されてもよく、ゴム、樹脂などエラストマーの一体品であってもよい。
【考案の効果】
【０００６】
この考案のグリップ補助具は、ゴルフのスイングのフォームが何らかの原因でくずれ、適正なインパクトができずショットが乱れたときに、グリップにグリップ補助具を取り付けてグリップの正しい握り具合に調整する。通常は、左手側および右手側の２つのグリップ補助具を、それぞれ略逆向きに、手のひら当接面がクラブヘッドのフェースと略平行となるようにグリップに外嵌めして装着する。
【０００７】
右打ちゴルファーにおいて、左手は、小指または小指と薬指とでグリップの後端側（身体側）部を握り、薬指、中指、人指し指の手のひらをグリップ補助具の手のひら当接面に当てる。右手は、親指と人指し指とでグリップの先端側（身体から遠側）部を握り、小指、薬指、中指の手のひらをグリップ補助具の手のひら当接面に当てる。これにより、左手および右手の手のひら間にグリップを挟む強い力を付与しながら、意識してゴルフグラブを回動させることが可能になる。すなわち、グリップは、左手または右手で握られているのではなく、左手および右手の手のひら間に挟まれて保持された状態となるため、ゴルフグラブの立て吊り、横吊り、斜め吊りの軌道が修正でき、綺麗な円プレーンの軌道が確保できる。
【０００８】
この手段で正確なショットが実行できるようになると、スイングのフォーム自体が調整できている。このため、グリップ補助具をゴルフクラブから取り外しても元来の正確なフォームが回復できる。また、この手段は、スイングのフォームの上達のための習得にも適用できることは当然である。なお、右手または左手の１つのグリップ補助具のみをグリップに取り付け、スイングのフォームの調整または習得を行ってもよい。
【考案を実施するための最良の形態】
【０００９】
この考案の実施の形態を図に示す実施例１とともに説明する。
【実施例１】
【００１０】
この考案にかかるゴルフクラブＣのグリップ補助具１は、図１に示す如く、樹脂、ゴムなどのエラストマーで形成された内層２と、樹脂、ゴムなどのエラストマーのスポンジで形成された外層３とからなり、軸方向に切欠き４が付与された円筒状を呈する。グリップ補助具１は、ゴルファーの手のひらの横幅より幾分小さい全長と、手のひらの縦長より幾分小さい直径を有して、その周長を手のひらと指で覆うように握れる大きさを有することが使用性の観点から望ましい。
【００１１】
この実施例のグリップ補助具１は、内径１５〜２０ｍｍ、肉厚２〜３ｍｍのビニールホースを、５０〜７０ｍｍの長さに切断して、軸方向に直線的に切り開いて内層２が形成されている。外層３は、厚さが１０〜２０ｍｍのエラストマー製の板状スポンジを矩形に切断し、内層２の外周に接着した構成を有する。これにより、内層２および外層３からなり、着脱口となる切欠き４が付与された円筒状を呈するグリップ補助具１が形成される。
【００１２】
図２に示す如く、内層２の内径はグリップ１０の外径より幾分径小に設定してあり、切欠き４を広開してグリップ１０に装着すると、グリップ１０に緊密に外嵌めされる。このグリップ１０への装着状態は、内層２および外層３の切欠き４に沿った側面２１および側面３１が、グリップ１０の側面１１と略同位置で、かつ略平らになって手のひら当接面４０を形成する。
【００１３】
内層２および外層３が大きい伸縮性を有する場合には、図３に示す如く、手のひら当接面４０は、グリップ補助具１をグリップ１０に装着した際にグリップ１０を中心として略Ｖ字形を呈していてもよく、幾分の捩れを有していてもよい。また、外層３は横断面が楕円形または多角形などであってもよい。
【００１４】
グリップ１０は、先端側（図示右側）が細く、後端側（図示左側）が太い形状を有するため、左手側のグリップ補助具１の内径を、右手側のグリップ補助具１の内径より大きく設定してもよい。また、各グリップ補助具１の内層２を、テーパ付きの筒体を用いて形成し、内径をテーパ付きにするとグリップ１０への装着性が向上する。
【００１５】
内層２および外層３は、同一のエラストマーで形成されてもよく、この場合には筒材の切り開き以外に、射出成型など型による成型が利用できる。内層２は樹脂製の弾性筒で形成してもよく、この場合には拡開することによりグリップ１０への着脱が簡単に行えることが必要である。
【００１６】
ゴルフのスイングのフォームがくずれ、適正なインパクトができなくなり、ショットが乱れたときには、図２に示す如く、グリップ補助具１、１をそれぞれ略逆向きに、手のひら当接面４０がクラブヘッドのフェースと略平行となるようにグリップ１０に取り付ける。この状態でグリップ１０を握ると、図４、図５に示す如く、左手Ｌの小指Ｌ５と薬指Ｌ４が左手側のグリップ補助具１からはみ出し、右手Ｒの親指Ｒ１および人指し指Ｒ２が右手側のグリップ補助具１からはみ出している。このため、グリップ１０は、左手Ｌの小指Ｌ５と薬指Ｌ４で強固に保持され、右手Ｒの親指Ｒ１および人指し指Ｒ２で普通に保持される。
【００１７】
これに対し、グリップ補助具１、１を握る部分は、保持が緩やかであり左手Ｌおよび右手Ｒの手のひらが手のひら当接面４０、４０に当接し、この部分ではグリップ１０を握るのではなく、両手のひらでグリップ１０を前後に強く挟んだ（押さえた）状態となる。このため、手首が固定された状態でゴルフクラブＣをテイク・バック、バック・スイング、トップ・スイング、ダウン・スイング、リスト・ターン、フォロー・スルーする一連のフォームにおいて、クラブヘッドのフェースを常に正面に向けながら、身体の軸芯を中心として身体を捩じる（回す）ことが容易（自然）に行える。
【００１８】
また、右腕ＲＡと左腕ＬＡとを、身体の前面では捩じらない状態で均等に、身体の左側では右腕ＲＡを左腕ＬＡより強く、身体の右側では左腕ＬＡを右腕ＲＡより強く捩じ（力を入れ）ることが自然にできるようになる。このため、適正なフォームを取り易くかつ適正なインパクトが容易にできる。
【００１９】
この状態でスイングを行い、適正なスイングおよびショットができるまでグリップ補助具１、１を取り付け、適正なスイングおよびショットができたフォームを維持しながら、つぎには、グリップ補助具１、１を取り外してスイングを行う。このようにすることにより、容易にくずれたフォームの調整または最適なフォームの習得ができる。また、グリップ補助具１、１を取り付けてスイングを繰り返すことにより、左手Ｌの小指Ｌ５と右手Ｒの親指Ｒ１および人指し指Ｒ２とでグリップ１０を握った状態でのスイングが行えるため、筋力の増強に有効である。
【００２０】
図６は実施例１の変形例として、左手側のグリップ補助具１のみを使用し、スイングのフォームの調整を行う場合を示す。この場合には、主にテイク・バック、バック・スイング、トップ・スイングのフォームの調整に有効である。また、右手側のグリップ補助具１のみを使用してもよく、この場合には主にダウン・スイング、リスト・ターン、フォロー・スルーのフォームの調整に効果が大きい。なお、左打ちゴルファーにおいては、上述した左手と右手の関係は逆となることは言うまでもない。
【実施例２】
【００２１】
図７は実施例２にかかるグリップ補助具５を示す。実施例２が実施例１と異なるのは、外層３が台形状の断面を有することである。この台形状の断面は必ずしも正確な台形状である必要はなく、略四角形や多角形であって外周を構成する外側面５１が手のひら当接面４０と略平行になるよう形成された略台形状の断面であればよい。好ましくは、グリップ１０の軸方向に略平行であっても軸直角方向には、手のひら当接面４０と外側面５１とが勾配を形成する緩やかな楔形状を有することが望まれる。そして、他は実施例１と異なるところはない。よって、図７では、実施例１と共通する構成要素は同一符号を用いている。この構成では、グリップ補助具５、５を装着した際に、外側面５１、５１の向きがグリップ１０を握る腕の内側線と一致させることができ、両腕の角度を正確に維持できる効果がある。
【００２２】
〔変形例〕
図８はこの考案のグリップ補助具１を取り付けたスイング矯正用の模擬ゴルフクラブ６を示す。シャフト６１の長さは１メートル程度で先端に球状重り６２が取り付けてある。この模擬ゴルフクラブ６を使用してフォームの調整または習得、さらには筋力アップの訓練を行うことができる。この場合、模擬ゴルフクラブ６を使用してフォームの調整が済めばグリップ補助具１を取外す必要がなく、取扱いが簡単である。
【図面の簡単な説明】
【００２３】
【図１】グリップ補助具の斜視図である（実施例１）。
【図２】グリップに装着したグリップ補助具の斜視図である（実施例１）。
【図３】グリップに装着したグリップ補助具の斜視図である（実施例１）。
【図４】グリップ補助具を装着したグリップを手で握った斜視図である（実施例１）。
【図５】グリップ補助具を装着したゴルフクラブを手で握った斜視図である（実施例１）。
【図６】片方のグリップ補助具を装着したグリップを手で握った斜視図である（実施例１の変形例）。
【図７】グリップに装着したグリップ補助具の斜視図である（実施例２）。
【図８】グリップ補助具を装着した模擬ゴルフクラブを手で握った斜視図である（変形例）。
【符号の説明】
【００２４】
１    グリップ補助具
１０  グリップ
２    内層
３    外層
４    切欠き（切り込み）
４０  手のひら当接面
Ｃ    ゴルフクラブ
【図１】
0003123347.tif 000003
【図２】
0003123347.tif 000004
【図３】
0003123347.tif 000005
【図４】
0003123347.tif 000006
【図５】
0003123347.tif 000007
【図６】
0003123347.tif 000008
【図７】
0003123347.tif 000009
【図８】
0003123347.tif 000010